(57)【要約】【課題】上端開口の容器を倒立状態として主としてゲルタイプの揮発性物質を揮発できるように設け、使用期間中つねに良好な揮発速度を維持できるようにした揮発性物質放出用容器を提供する。【解決手段】胴部４から口頸部６を起立する容器体２と、前記口頸部の上面を閉塞する頂板２０を有するとともに、口頸部６に対して着脱自在に設けた蓋体１４とからなり、この蓋体１４は、上記頂板２０から垂下した支持筒２２を、上記口頸部６に対して摺動可能に嵌着させており、この嵌着力により、支持筒２２の基部２４側を口頸部６から引き出して倒立させたときに、容器体の重量を支えることができるように設け、上記支持筒２２の少なくとも基部２４側に揮発孔２８を形成した。【選択図】  図１
2008137695.tif 000002
【特許請求の範囲】
【請求項１】
胴部４から口頸部６を起立する容器体２と、
前記口頸部の上面を閉塞する頂板２０を有するとともに、口頸部６に対して着脱自在に設けた蓋体１４とからなり、
この蓋体１４は、上記頂板２０から垂下した支持筒２２を、上記口頸部６に対して摺動可能に嵌着させており、
この嵌着力により、支持筒２２の基部２４側を口頸部６から引き出して倒立させたときに、少なくとも容器体２の重量を支えることができるように設け、
上記支持筒２２の少なくとも基部２４側に揮発孔２８を形成したことを特徴とする、揮発性物質放出用容器。
【請求項２】
上記支持筒２２は、上記蓋体１４の頂板２０裏面から垂下するとともに口頸部６の内面に嵌合させていることを特徴とする、請求項１記載の揮発性物質放出用容器。
【請求項３】
上記揮発孔２８を、複数の平行なスリット孔、又はメッシュ孔としたことを特徴とする、請求項２記載の揮発性物質放出容器。
【請求項４】
上記揮発孔２８が外部から見て飾り或いは記号を表すように造形したことを特徴とする、請求項２記載の揮発性物質放出容器。
【請求項５】
上記支持筒２２を、容器体２の胴部４内へ垂下するとともに、上記揮発孔２８を、支持筒２２の基部２４から先部２６に亘って形成したことを特徴とする、請求項２から請求項４の何れかに記載の揮発性物質放出用容器。
【請求項６】
上記支持筒２２の外面に、高さの異なる複数の位置決め兼用の係止リブ３１を付設し、この係止リブが容器体２の口頸部６に対して係止して、外部に露出する揮発孔２８の面積を規制できるように設けたことを特徴とする、請求項５記載の揮発性物質放出用容器。
【発明の詳細な説明】
【技術分野】
【０００１】
本発明は、揮発性物質放出用容器、特にゲル状揮発性物質を収納するための容器に関する。尚、本明細書において「揮発性物質」とは、芳香剤や消臭剤など揮発させることで使用する物質をいう。
【背景技術】
【０００２】
従来、芳香容器として、芳香液剤を収納するための有底筒形の容器体の上面を、この容器体に対して昇降自在の傘形の蓋で開閉自在に設けたものが知られている（特許文献１）。
【特許文献１】特開平０７−１８７２６７号
【発明の開示】
【発明が解決しようとする課題】
【０００３】
特許文献１の芳香容器では、揮発により容器体内の液剤が減少していくとともに、容器体内の空隙が拡大していく。この際、エア中の芳香剤の濃度は容器体内の空隙で最も高くなり、容器体から離れるほど徐々に低下する。熱力学の法則によれば、ある液相の物質の蒸発速度は、液相と気相との間の当該物質の濃度の差が大きいほど大となる。従って特許文献１のように上端に揮発口を有する型の容器では、芳香剤の量がある程度減少すると、揮発速度が低下するという問題点を生ずる。
【０００４】
本発明は、上端開口の容器を倒立状態として主としてゲルタイプの揮発性物質を揮発できるように設け、使用期間中つねに良好な揮発速度を維持できるようにした揮発性物質放出用容器を提供することを目的とする。
【課題を解決するための手段】
【０００５】
第１の手段は、胴部４から口頸部６を起立する容器体２と、
前記口頸部の上面を閉塞する頂板２０を有するとともに、口頸部６に対して着脱自在に設けた蓋体１４とからなり、
この蓋体１４は、上記頂板２０から垂下した支持筒２２を、上記口頸部６に対して摺動可能に嵌着させており、
この嵌着力により、支持筒２２の基部２４側を口頸部６から引き出して倒立させたときに、少なくとも容器体２の重量を支えることができるように設け、
上記支持筒２２の少なくとも基部２４側に揮発孔２８を形成している。
【０００６】
本手段では、倒立させて使用する揮発性物質放出容器を提案している。即ち、倒立させることで容器体上部に在る揮発孔の近くに揮発性物質が集まり、外気と直接接するので、効率良く揮発させることが可能となる。もっとも倒立して使用する放出容器というだけであれば、例えば上下両端閉塞の筒体の上半部に多数の揮発孔を開口するだけでも良いのであるが、それでは使用する必要のないときも常時揮発性物質を放出していることとなり、不都合である。そこで本手段では、容器体の口頸部を閉塞する蓋体に、その口頸部に対して昇降可能に嵌合する支持筒を組み込むとともに、この支持筒に揮発孔を開口した構成を提案している。
【０００７】
もっとも揮発性物質が液体であると、揮発孔から揮発性物質が流れ出してしまうので、本手段の容器に対しては、ある程度の定形性がある揮発性物質（特にゲル状の揮発性物質）を用いることが望ましい。この揮発性物質の形態は、後述の図示例のような粒形、或いは塊形にすることが望ましいが、必ずしもこれには限られない。例えば図１の構造から、支持筒の内径と同程度のロッド形（或いは柱形）のゲル状揮発性物質を口頸部内に嵌め込み、支持筒を外方へ引き出して反転させたときに、支持筒内面との摩擦又は重力で支持筒の基部側へ移動するようにしても良い。
【０００８】
「口頸部」は、本発明の場合には、揮発時に揮発性物質を流入させ、これを保持する保持部としての機能を有する。従って容器体の胴部に対する口頸部の径が比較的大径であることが望ましい。
【０００９】
「支持筒」は、容器体の口頸部に対して摺動自在に嵌め合わされ、口頸部から任意の距離を引き出して容器を倒立させたとき、容器体及び内容物の重量を支える機能を有する。この支持筒は、好適な図示例では口頸部の内面に嵌合させているが、例えば蓋体の周壁と兼用して口頸部の外側に嵌合しても構わない。これに関しては後述する。
【００１０】
第２の手段は、第１の手段を有し、かつ上記支持筒２２は、上記蓋体１４の頂板２０裏面から垂下するとともに口頸部６の内面に嵌合させている。
【００１１】
本手段では、図１に示す如く口頸部の内面に嵌合させる支持筒を開示している。これ以外の構成としては、例えば支持筒が蓋体の周壁とを兼ねるようにすることも考えられる。この場合には、口頸部を図１に描かれているものよりも上下に長く設け、これに合わせて蓋体の周壁を長く設けて、この周壁の上半部に揮発孔を形成すればよい。もっともこれでは蓋体周壁である支持筒の長さが制限されるし、容器体の嵩も大きくなる。本手段の構成によれば、支持筒を口頸部から更に胴部の下部まで延ばすことができ、設計上の自由度が大きいとともに、容器をコンパクトに構成できる。
【００１２】
第３の手段は、第２の手段を有し、かつ上記揮発孔２８を、複数の平行なスリット孔、又はメッシュ孔としている。
【００１３】
本手段では、内容物が容器体の外部にこぼれにくいような揮発孔の形状を提案している。特に揮発性物質が粒径である場合には、その粒径に比べてスリット孔の巾が狭くなるように、或いはメッシュ孔のサイズが小さくなるようにすることで揮発性物質を支持筒の内部に保持することができる。
【００１４】
第４の手段は、第２の手段を有し、かつ上記揮発孔２８が外部から見て飾り或いは記号を表すように造形している。
【００１５】
昇降可能な支持筒に揮発孔を設けた本発明の構成は、機能的には優れているが、美観の面では面白みに欠ける。そこで本手段では、揮発孔に飾り又は記号の機能を持たせ、快適な香り空間を演出するとともに意匠的効果を高め、或いは記号の実用的効果を向上させている。「飾り」とは例えば月や星、動物などを象形した模様であり、「記号」とは例えば製造会社のロゴや商標などである。
【００１６】
尚、芳香容器に飾り孔を施したものは既にたくさんあるが、本発明では、揮発孔が飾り孔などを兼ねるとともに、これらの孔が蓋体及び支持筒の引き上げにより出現するように構成したところに特色がある。
【００１７】
第５の手段は、第２の手段ないし第４の手段のいずれかを有し、かつ上記支持筒２２を、容器体２の胴部４内へ垂下するとともに、上記揮発孔２８を、支持筒２２の基部２４から先部２６に亘って形成している。
【００１８】
この構成によれば、口頸部からの支持筒の引き出し長さを増減することで、外部に露出している揮発孔の面積、言い換えれば揮発性物質の放出面積を調整できるようにしている。
【００１９】
第６の手段は、第５の手段を有し、かつ上記支持筒２２の外面に、高さの異なる複数の位置決め兼用の係止リブ３１を付設し、この係止リブが容器体２の口頸部６に対して係止して、外部に露出する揮発孔２８の面積を規制できるように設けている。
【００２０】
本手段では、蓋体及び支持筒の係止用リブを付設して、引き上げ時に一定の位置に引き上げることができるようにしている。これにより、揮発用物質の放出面積を一定にすることができる。他方、前記第１の手段で述べた通り、揮発性物質を揮発孔付近に集め、常に新鮮な空気に触れさせるので、単位面積当たりの開口からの揮発量は時間経過によらずほぼ一定である。従ってこれら２つの特徴が結びつくことで、一定のリブに支持筒を位置決めすれば、単位時間当たりに常に同じ揮発量が得られると期待することができる。尚、係止リブは、口頸部に直接係止するものに限らず、後述の図示例に示す如く、口頸部内面に付設した中間物（中栓）に係止するものでも良い。
【発明の効果】
【００２１】
第１の手段に係る発明によれば、蓋体の支持筒２２を引き出した状態で容器を倒立させるから、揮発性物質が支持筒基部の揮発孔２８の付近に集まり、従って揮発性物質の使用の程度によらず、良好な揮発速度を確保することができる。
【００２２】
第２の手段に係る発明によれば、上記支持筒２２は、上記蓋体１４の頂板２０裏面から垂下するとともに口頸部６の内面に嵌合させるようにしたから、支持筒の長さ並びに揮発孔の開口面積を比較的自由に設定することができる。
【００２３】
第３の手段に係る発明によれば、上記揮発孔２８を、複数の平行なスリット孔、又はメッシュ孔としたから、スリットの巾又はメッシュ目の細かさの設計により粒状の揮発性物質が揮発孔から零れ落ちないようにすることができる。
【００２４】
第４の手段に係る発明によれば、支持筒２２に表れる上記揮発孔２８が外部から見て飾り或いは記号を表すように造形しており、蓋体１４の上昇により支持筒２２を外側へ引き出すことでそれら飾り又は記号が出現するから、その装飾効果或いは宣伝効果を利用者に対してダイナミックにアピールすることができる。
【００２５】
第５の手段に係る発明によれば、上記支持筒２２を、容器体２の胴部４内へ垂下するとともに、上記揮発孔２８を、支持筒２２の基部２４から先部２６に亘って形成したから、揮発性物質の放出面積を調整することができる。
【００２６】
第６の手段に係る発明によれば、蓋体及び支持筒の係止用リブを付設して、引き上げ時に一定の位置に引き上げることができるようにしたから、単位時間当たりに同じ程度の揮発量が期待できる。
【発明を実施するための最良の形態】
【００２７】
図１から図３は本発明の第１の実施形態に係る揮発性物質放出容器を示している。この容器は、容器体２と、中栓１０と、蓋体１４とで形成されている。
【００２８】
容器体２は、直筒状の胴部４から肩部を介して口頸部６を起立している。この口頸部の外面にはネジを形成している。容器体２は、内容物を使い切ったときに、蓋体１４及び中栓１０から分離して、新たな容器体と交換することができるように構成することができる。胴部４の適所には、交換時期を示す標識８を表示している。
【００２９】
中栓１０は、上記口頸部６の内面に嵌合させた栓筒の上端に付設した外向きフランジを上記口頸部６の上端面に係止させている。更にその外向きフランジの外縁から口頸部６の外面側に折り返してもよい。
【００３０】
蓋体１４は、蓋本体１６と支持筒２２とで形成している。蓋本体１６は、上記口頸部６外面に螺合する周壁１８と、この周壁の上面と閉塞する頂板２０とを有している。この頂板２０は平坦であり、頂板を下にして容器を倒立させることができるように設けている。
【００３１】
上記支持筒２２は、上記頂板２０の裏面に固定させた上端部を有し、口頸部６を通して容器体の胴部４内へ垂下している。支持筒２２の基部２４は、上記口頸部６の内面に摺動自在に嵌合されており、その嵌合力が、芳香剤を充填した容器体２の重量より大きくなるように設計している。また、支持筒２２の筒壁のうち基部及び先端部を除く部分には、その基部２４から先部２６へ延びる複数のスリット孔である揮発孔２８が、全周に亘って穿設されている。そのスリット孔の巾は、少なくとも粒形の揮発性物質の直径よりも小さくするものとする。図示例ではこの直径の半分程度としているが、場合により１／４程度としてもよい。支持筒２２の先端部外周には、上記中栓１０の下端との当接用の抜止め用リブ３０を周設している。また、支持筒２２の適所、図示例では２つのスリット状の揮発孔の間の筒壁部分には、高さの異なる複数の係止リブ３１を付設する。これらの係止リブは、支持筒を引き上げる際に、図２の状態で中栓１０の端面に係止して、容器体の位置（高さ）を決める機能を有する。
【００３２】
上記容器体２内には、粒形のゲル状芳香剤を充填しておく。
【００３３】
上記構成において、図１の状態から蓋体１４を螺脱させて支持筒２２をある程度引き出した後に反転させて、平坦な載置面Ｓ上に載置する。そうすると容器内のゲル状芳香剤が自重により支持筒２２内へ集まる。そうするとこれらのゲル状芳香剤が揮発孔２８を介して外気に直接接触される。これにより芳香剤の揮発速度が高まる。また、上記支持筒２２の引出し距離を加減することで揮発面を調整することができる。
【００３４】
図３は、本実施形態の変形例であり、容器体の下部をドーム形に形成したものである。
【００３５】
図４及び図５は、本発明の第２の実施形態を示している。本形態では、第１実施形態における支持筒２２の構造を変更したものであり、それ以外の構成は第１実施形態と同じである。
【００３６】
本実施形態では、上端及び下端のリング体３２を一対の連結棒３４で連結し、この連結棒３２の外面に滑り止め及び位置決め手段を兼ねた係止リブ３１を施し、さらに筒壁全体をメッシュとして、そのメッシュ孔を揮発孔２８としている。これらのメッシュ孔は少なくともゲル状の揮発性物質の粒径よりも小さくするものとし、その粒径の半分以下とすることが望ましい。図４は斜めに交差する斜線でメッシュを構成しており、また図５は直交する経線及び緯線でメッシュを構成している。
【００３７】
図６は、本発明の第３の実施形態を示している。本形態では、第１実施形態の揮発孔２８を、飾り孔として造形したものである。飾りに代えて会社のロゴなどとしても良い。本実施形態の場合には、揮発性物質と支持筒とを異色（例えば補色）に着色して、その飾り又はロゴの形が明瞭に分るようにすることが望ましい。尚、飾り孔又は記号の孔と、図１に示すようなスリット孔を適宜組み合わせて、例えば模様部分の背景に、スリット孔を配置するようにしてもよい。
【００３８】
また、飾り孔又はロゴの何れにしても揮発孔としての機能を担保することが必要である。即ち、粒形の揮発性物質を収納する場合には、飾り又はロゴの一番太い部分の巾が粒径よりも狭くなるようにすることが望ましい。
【図面の簡単な説明】
【００３９】
【図１】本発明の第1の実施形態に係る揮発性物質放出容器の縦断面である。
【図２】図１の容器の使用状態説明面である。
【図３】図１の容器の変形例を使用状態で示す図である。
【図４】本発明の第２の実施形態に係る揮発性物質放出容器の要部斜視図である。
【図５】図４の要部の変形例を示す斜視図である。
【図６】本発明の第３の実施形態に係る揮発性物質放出容器の要部斜視図である。
【符号の説明】
【００４０】
２…容器体  ４…胴部  ６…口頸部  ８…標識  １０…中栓  １４…蓋体
１６…蓋本体  １８…周壁  ２０…頂板  ２２…支持筒  ２４…基部  ２６…先部
２８…揮発孔   ３０…抜止め用リブ  ３１…位置決め用リブ  ３２…リング体
３４…連結棒  ３６…滑り止め  Ｓ…載置面
【図１】
2008137695.tif 000003
【図２】
2008137695.tif 000004
【図３】
2008137695.tif 000005
【図４】
2008137695.tif 000006
【図５】
2008137695.tif 000007
【図６】
2008137695.tif 000008